(57)【特許請求の範囲】
【請求項１】
空気流路中に配設されているエバポレータおよびヒータにより温調された空気流をその下流側に設けられているデフ吹き出し流路、フェース吹き出し流路、フット吹き出し流路からデフダンパ、フェースダンパ、フットダンパの開閉により選択的に車室内へと吹き出すようにした車両用空調装置において、
前記デフ吹き出し流路の両側部にサイドウィンドガラスに温調風を導くサイドデミスタ流路を設けるとともに、前記デフ吹き出し流路および前記サイドデミスタ流路を同時に開閉する前記デフダンパの両端部近傍に前記サイドデミスタ流路に温調風を導く板状の導風リブを設け、
該板状導風リブは、前記フットダンパを開き前記フット吹き出し流路から温調風を吹き出すフットモード時に前記デフダンパを微小開度に設定したとき、前記デフダンパの両端部とユニットケースとの隙間から前記デフダンパの幅方向に向って流れる温調風を前記サイドデミスタ流路にガイドする機能を備え、前記デフダンパの両端部から前記サイドデミスタ流路の幅方向寸法の概ね５０％前後の寸法位置に設けられていることを特徴とする車両用空調装置。
【請求項２】
前記導風リブは、前記デフダンパのシール面側の表面に上方に向って立設されていることを特徴とする請求項１に記載の車両用空調装置。
【請求項３】
前記導風リブは、前記デフダンパの幅方向に対して直交する方向に設けられていることを特徴とする請求項１または２に記載の車両用空調装置。
【請求項４】
前記導風リブは、前記デフダンパと共に樹脂材により一体成形されていることを特徴とする請求項１ないし３のいずれかに記載の車両用空調装置。
【発明の詳細な説明】
【技術分野】
【０００１】
本発明は、フロントウィンドガラスおよびサイドウィンドガラスの曇りを防止、除去するデフロスタおよびサイドデミスタを備えた車両用空調装置に関するものである。
【背景技術】
【０００２】
従来の車両用空調装置（Ｈｅａｔｉｎｇ  Ｖｅｎｔｉｌａｔｉｏｎ  ａｎｄ  Ａｉｒ  Ｃｏｎｄｉｔｉｏｎｉｎｇ  Ｕｎｉｔ；ＨＶＡＣユニット）は、一般に、ユニットケース内の空気流路中に配設されているエバポレータ、エアミックスダンパ、およびヒータにより温調された空気流をその下流側に設けられているデフダンパ、フェースダンパ、フットダンパを備えたデフ吹き出し流路、フェース吹き出し流路、フット吹き出し流路から選択的に車室内へと吹き出すように構成されている。
【０００３】
また、デフ吹き出し流路から温調風をフロントウィンドガラスに向け吹き出すデフロスタに加え、サイドウィンドガラスに向け吹き出すサイドデミスタを備えたものでは、デフ吹き出し流路の左右両側部にサイドウィンドガラスに温調風を導くサイドデミスタ流路を形成するか、あるいは特許文献１に示されるように、空調ユニットに接続されるデフロスタノズル本体の左右両側部にサイドデミスタダクトの一端部を挿入、突出させ、その一端部の形状をデフロスタノズル本体内における温調風の流れに対向するように指向させた構成としている。
【０００４】
上記のＨＶＡＣユニットでは、デフダンパ、フェースダンパ、フットダンパの開閉により温調風の吹き出しモードが、デフダンパを開いたデフモード、フェースダンパを開いたフェースモード、フットダンパを開いたフットモード、デフダンパおよびフットダンパの両方を開いたデフフットモード、フェースダンパおよびフットダンパの両方を開いたバイレベルモードのいずれかに選択可能とされている。また、暖房モードであるフットモード時において、フロントウィンドガラスおよびサイドウィンドガラスの曇りを防止、除去するため、デフダンパを微小開度に設定し、フットモード全体の風量の略１０〜２０％の比率の温調風をデフ吹き出し流路およびサイドデミスタ流路側に配風するようにしている。
【０００５】
【特許文献１】特開２００１−２１３１３５号公報
【発明の開示】
【発明が解決しようとする課題】
【０００６】
しかしながら、フットモード時、微小開度に設定されたデフダンパを介してデフ吹き出し流路およびサイドデミスタ流路側に配風される温調風の割合は、フットモード全体の風量の概ね１０〜２０％と少ないうえに、この温調風がデフダンパの両端部とユニットケースとの間の微小な隙間を流れる際、その両端部とユニットケースとの隙間からデフダンパの幅方向に向って流れる。これは、ユニットケースの両側部に沿って流れる温調風が、デフダンパの両端部が当接されるユニットケースのシール面によって幅方向に向きが変えられ、主流となるデフ吹き出し流路の中央部を流れる温調風に引っ張られてデフダンパの幅方向に向って流れるためと考えられる。
【０００７】
これにより、サイドデミスタ流路側に温調風が殆んど流れず、吹き出し温度をマックスホット（最大暖房）に設定してもサイドデミスタ流路側の温度が上昇しないことから、サイドウィンドガラスの窓晴性を確保できないという問題がある。これは、特許文献１に示されるような構成としても同様であり、デフロスタノズル内へのサイドデミスタダクトの挿入、突出長さを増大させ、サイドデミスタ性能を向上させることも考えられるが、デフモードやデフフットモード時にサイドデミスタダクトが抵抗となり、騒音増大の要因となる等の問題が発生する。
【０００８】
そこで、サイドデミスタにより窓晴性を確保できない場合には、例えば、手動によってデフフットモードに切り替える等の操作を行っているが、この操作が煩わしく、デフダンパを微小開度に設定するフットモード時において、サイドウィンドガラスの窓晴性を確実に確保することが可能なサイドデミスタが望まれている。
【０００９】
本発明は、このような事情に鑑みてなされたものであって、フットモード時にデフダンパを微小開度に設定した際のサイドデミスタ性能を向上し、サイドウィンドガラスの窓晴性を確保することができる車両用空調装置を提供することを目的とする。
【課題を解決するための手段】
【００１０】
上記課題を解決するために、本発明の車両用空調装置は、以下の手段を採用する。
すなわち、本発明にかかる車両用空調装置は、空気流路中に配設されているエバポレータおよびヒータにより温調された空気流をその下流側に設けられているデフ吹き出し流路、フェース吹き出し流路、フット吹き出し流路からデフダンパ、フェースダンパ、フットダンパの開閉により選択的に車室内へと吹き出すようにした車両用空調装置において、前記デフ吹き出し流路の両側部にサイドウィンドガラスに温調風を導くサイドデミスタ流路を設けるとともに、前記デフ吹き出し流路および前記サイドデミスタ流路を同時に開閉する前記デフダンパの両端部近傍に前記サイドデミスタ流路に温調風を導く板状の導風リブを設け、該板状導風リブは、前記フットダンパを開き前記フット吹き出し流路から温調風を吹き出すフットモード時に前記デフダンパを微小開度に設定したとき、前記デフダンパの両端部とユニットケースとの隙間から前記デフダンパの幅方向に向って流れる温調風を前記サイドデミスタ流路にガイドする機能を備え、前記デフダンパの両端部から前記サイドデミスタ流路の幅方向寸法の概ね５０％前後の寸法位置に設けられていることを特徴とする。
【００１１】
本発明によれば、暖房モードであるフットモードにおいて、フロントウィンドガラスおよびサイドウィンドガラスの曇りを防止、除去するため、デフ吹き出し流路のデフダンパを微小開度に設定し、デフ吹き出し流路およびサイドデミスタ流路に温調風を流す際、その温調風をデフダンパの両端部近傍に設けられている導風リブにより確実にサイドデミスタ流路へと導くことができる。従って、デフダンパへの導風リブの追加のみでサイドデミスタ性能を向上させ、サイドウィンドガラスの窓晴性を高めることができるとともに、その窓晴性を確保するために、手動によりダンパをデフフットモードに切り替える操作上の煩わしさを解消することができる。また、暖房モードであるフットモード時にデフダンパを微小開度に設定したとき、空気流路の両側を流れている温調風がデフダンパを通過する際、その両端部とユニットケースとの隙間からデフダンパの幅方向に向って流れるので、その温調風を導風リブでサイドデミスタ流路へとガイドすることによって、サイドデミスタ流路側に流れる温調風の風量を増加することができる。従って、デフ吹き出し流路およびサイドデミスタ流路側に流す風量割合を増やすことなく、サイドデミスタ流路に対してデミスタ性能を十分に確保できるだけの風量を流すことができ、サイドデミスタ性能の確保と暖房性能の維持との両立を図ることができる。さらに、導風リブがデフダンパの両端部からサイドデミスタ流路の幅方向寸法の概ね５０％前後の寸法位置に設けられ、デフダンパの両端部とユニットケースとの隙間からデフダンパの幅方向に向って流れる温調風に対する圧力損失（抵抗）を増やすことなく、また該温調風がサイドデミスタ流路をパスすることがないように温調風をサイドデミスタ流路へとガイドできるため、サイドデミスタ流路に対して適量の温調風を導くことができ、サイドデミスタ性能を安定化することができる。
【００１２】
さらに、本発明の車両用空調装置は、上記の車両用空調装置において、前記導風リブは、前記デフダンパのシール面側の表面に上方に向って立設されていることを特徴とする。
【００１３】
本発明によれば、導風リブがデフダンパのシール面側の表面に上方に向って立設されているので、導風リブの立設高さを空調装置のユニットケースからはみ出さない範囲で調整することによって、サイドデミスタ流路に導く温調風の風量を調整することができる。従って、導風リブの立設高さの調整によりサイドデミスタ流路に導く風量の最適化を図ることができる。
【００１４】
さらに、本発明の車両用空調装置は、上述のいずれかの車両用空調装置において、前記導風リブは、前記デフダンパの幅方向に対して直交する方向に設けられていることを特徴とする。
【００１５】
本発明によれば、導風リブがデフダンパの幅方向に対して直交する方向に設けられるので、デフダンパの両端部とユニットケースとの隙間からデフダンパの幅方向に向って流れる温調風を導風リブにより効果的にサイドデミスタ流路へとガイドすることができる。また、デフダンパを開き温調風の主流をデフ吹き出し流路およびサイドデミスタ流路から吹き出すデフモードやデフフットモード時に導風リブが抵抗になることはなく、従って、サイドデミスタ性能以外の性能に悪影響を及ぼすこともない。
【００１６】
さらに、本発明の車両用空調装置は、上述のいずれかの車両用空調装置において、前記導風リブは、前記デフダンパと共に樹脂材により一体成形されていることを特徴とする。
【００１７】
本発明によれば、導風リブがデフダンパと共に樹脂材により一体成形されるので、導風リブを設けてもデフダンパの製造時における工数が特に増加することはない。従って、製造コストの上昇を抑えつつ、サイドデミスタ性能の向上を図ることができる。
【発明の効果】
【００１８】
本発明によると、デフ吹き出し流路のデフダンパを微小開度に設定し、デフ吹き出し流路およびサイドデミスタ流路に温調風を流す際、その温調風をデフダンパの両端部近傍に設けられている導風リブにより確実にサイドデミスタ流路へと導くことができるため、デフダンパへの導風リブの追加のみでサイドデミスタ性能を向上させ、サイドウィンドガラスの窓晴性を高めることができるとともに、その窓晴性を確保するために、手動によりダンパをデフフットモードに切り替える操作上の煩わしさを解消することができる。また、デフダンパを微小開度に設定したとき、空気流路の両側を流れている温調風がデフダンパを通過する際、その両端部とユニットケースとの隙間からデフダンパの幅方向に向って流れるので、その温調風を導風リブでサイドデミスタ流路へとガイドすることによって、サイドデミスタ流路側に流れる温調風の風量を増加することができるため、デフ吹き出し流路およびサイドデミスタ流路側に流す風量割合を増やすことなく、サイドデミスタ流路に対してデミスタ性能を十分に確保できるだけの風量を流すことができ、サイドデミスタ性能の確保と暖房性能の維持との両立を図ることができる。さらに、導風リブがデフダンパの両端部からサイドデミスタ流路の幅方向寸法の概ね５０％前後の寸法位置に設けられ、デフダンパの両端部とユニットケースとの隙間からデフダンパの幅方向に向って流れる温調風に対する圧力損失（抵抗）を増やすことなく、また該温調風がサイドデミスタ流路をパスすることがないように温調風をサイドデミスタ流路へとガイドできるため、サイドデミスタ流路に対して適量の温調風を導くことができ、サイドデミスタ性能を安定化することができる。
【発明を実施するための最良の形態】
【００１９】
以下に、本発明にかかる実施形態について、図面を参照して説明する。
［第１実施形態］
以下、本発明の第１実施形態について、図１ないし図５を用いて説明する。
図１には、本発明の第１実施形態にかかる車両用空調装置１の縦断面図が示され、図２には、そのデフ吹き出し流路およびサイドデミスタ流路とデフダンパとの配置構成図が示され、図３には、デフ吹き出し流路部を切断して上方部から見た斜視図が示されている。車両用空調装置（ＨＶＡＣユニット）１は、図示省略のブロアユニットと接続される樹脂製のユニットケース２を備えている。
【００２０】
ユニットケース２内には、ブロアユニットから送風される空気流を流通させる空気流路３が形成されている。ユニットケース２は、一般に複数個に分割されて成形され、内部にエバポレータ４、ヒータ５、エアミックスダンパ６、複数の吹き出しモード切り替え用のフェースダンパ７、デフダンパ８、フットダンパ９等を収容設置した後、一体に組み付けられる。これにより、ＨＶＡＣユニット１が構成されるようになっている。
【００２１】
空気流路３は、エバポレータ４の下流側において、エアミックスダンパ６が当接される上下２つのシール部１１，１２により絞られた後、ヒータ５が設置されるヒータ側流路１３と、ヒータ５をバイパスするバイパス流路１４の２つの流路に分岐されている。ヒータ側流路１３は、ヒータ５の下流側において上方に向けられ、ヒータ５の上方部を経てエアミックス域１５で再びバイパス流路１４と合流されるように構成されている。
【００２２】
また、空気流路３は、エアミックス域１５の下流側において、フェース吹き出し流路１６、デフ吹き出し流路１７に連なるとともに、フット吹き出し流路１８を経てフット吹き出し口１９にそれぞれ連なっている。さらに、フェース吹き出し流路１６は、その両側部に接続された後席用ダクト２０を介して図示省略の後席吹出口にそれぞれ連なっている。
【００２３】
エバポレータ４は、図示省略の圧縮機、コンデンサ、膨張弁等と共に公知の冷凍サイクルを構成するものであり、冷凍サイクル内を循環される冷媒と図示省略のブロアユニットから送られる空気とを熱交換させ、冷媒を蒸発させて空気を冷却するものである。このエバポレータ４は、所定の厚さを有する外形が四角形状のチューブフィンタイプの積層型熱交換器により構成され、ＨＶＡＣユニット１において、空気流路３の最上流位置に、空気流路３を横断するように鉛直に配設されている。
【００２４】
ヒータ５は、図示省略の車両用エンジンから冷却水回路を介して温水が循環されるものであり、ヒータ側流路１３に設置され、温水とエバポレータ４で冷却された空気とを熱交換させ、空気を加熱するものである。このヒータ５は、所定の厚さを有する外形が四角形状のチューブフィンタイプの積層型熱交換器で構成され、エバポレータ４とほぼ平行にヒータ側流路１３を横断するように鉛直に配設されている。
【００２５】
エアミックスダンパ６は、エバポレータ４とヒータ５との間に配設され、回転軸６Ａがヒータ５の上端部付近においてユニットケース２に回転自在に設置されている。このエアミックスダンパ６は、バタフライ形ダンパであり、板状ダンパ部６Ｂは、その先端部がシール部１１に当接されてヒータ側流路１３の入口を全閉とする最大冷房位置（マックスクール位置）Ｃと、板状ダンパ部６Ｂの先端部がシール部１２に当接されてバイパス流路１４の入口を全閉とする最大暖房位置（マックスホット位置）Ｈとの間で任意の位置に回動可能とされている。一方、板状ダンパ部６Ｃは、板状ダンパ部６Ｂと一体となって回動され、ヒータ側流路１３の出口側開度を調整するものであり、エアミックスダンパ６が最大冷房位置Ｃにおいて、ヒータ側流路１３の出口を閉じるように構成されている。
【００２６】
吹き出しモード切り替え用のダンパ７，８，９のうち、フェースダンパ７は、フェース吹き出し流路１６に回動可能に設けられ、またデフダンパ８は、デフ吹き出し流路１７に回動可能に設けられ、さらにフットダンパ９は、フット吹き出し流路１８に回動可能に設けられている。これらのダンパ７，８，９は、互いに連動して各吹き出し流路を開閉できるように構成され、フェースダンパ７が開かれるフェースモード、デフダンパ８が開かれるデフモード、フットダンパ９が開かれるフットモード、デフダンパ８およびフットダンパ９の両方が開かれるデフフットモード、フェースダンパ７およびフットダンパ９の両方が開かれるバイレベルモード等に切り替え可能とされている。
【００２７】
後席用ダクト２０は、フェース吹き出し流路１６に隣接して縦方向（車両前後方向）に入口が接続され、温調された冷風または温風がフェースダンパ７を介して後席側に導かれるように構成されている。また、ヒータ側流路１３は、ユニットケース２と一体をなす仕切壁２Ａにより画定され、仕切壁２Ａの背面側（ヒータ側流路の反対側）は、フット吹き出し流路１８とされている。この仕切壁２Ａのヒータ側流路１３の出口を構成する端部には、全体としてエアミックス域１５に向かって滑らかに湾曲された形状とされており、幾つかの異なる曲率の曲面と直線状の断面を有する平面との組み合わせにより構成された涙形状部２１が設けられている。
【００２８】
さらに、上記のＨＶＡＣユニット１において、デフ吹き出し流路１７には、図２に示されるように、フロントウィンドガラスに向け温調風を吹き出すデフロスタ吹き出し口３０が設けられる他、その両側部にサイドウィンドガラスに温調風を導くサイドデミスタ流路３１が区画形成されている。このサイドデミスタ流路３１は、デフ吹き出し流路１７の幅方向に寸法Ｌの幅を有し、デフ吹き出し流路１７と共にデフダンパ８により開閉されるように構成されており、サイドウィンドガラスに向け温調風を吹き出すサイドデミスタ吹き出し口３２に連通されている。
【００２９】
デフダンパ８は、上記のように、デフモードおよびデフフットモード時に開かれ、デフ吹き出し流路１７およびサイドデミスタ流路３１に温調風を流し、フロントウィンドガラスおよびサイドウィンドガラスの曇りを防止、除去するように構成されるだけでなく、暖房モードであるフットモード時において、微小開度に設定されるようになっている。これにより、フットモード全体の風量の略１０〜２０％に相当する量の温調風が、デフロスタ吹き出し口３０およびサイドデミスタ吹き出し口３２からフロントウィンドガラスおよびサイドウィンドガラスに向け吹き出されるように構成されている。
【００３０】
このデフダンパ８は、図４および図５に示されるように、回転軸３３上に長方形状のダンパ板３４が樹脂材により一体成形されたドア形のダンパであり、ダンパ板３４の周辺には、ユニットケース２側に形成されているシール面２Ｂに当接してデフ吹き出し流路１７およびサイドデミスタ流路３１を閉じるシール部材３５が設けられている。また、デフダンパ８には、両端部から幅方向に寸法ｌの位置に幅方向に対して直交する方向に導風リブ３６が上方に向け立設されている。
【００３１】
導風リブ３６は、上記のように、ダンパ板３４の両端部から幅方向寸法ｌの位置に設けられるが、この位置は、図２に示されるように、サイドデミスタ流路３１の幅方向寸法Ｌに対して概ね５０％前後の位置、すなわちｌ＝０．５Ｌの位置とされている。つまり、サイドデミスタ流路３１の幅方向寸法Ｌが、例えば４０ｍｍとされている場合、導風リブ３６は、ダンパ板３４の両端部から略２０ｍｍの位置に設けられることになる。また、導風リブ３６の高さは、ユニットケース２からはみ出さない範囲で調整され、例えば十数ｍｍとされる。更に、その長さは、例えば３０数ｍｍとされる。
【００３２】
以上に説明の構成により、本実施形態によれば、以下の作用効果を奏する。
図示省略のブロアユニットからＨＶＡＣユニット１の空気流路３に送風されてくる空気流は、エバポレータ３を通過する間に冷媒と熱交換されて冷却された後、エアミックスダンパ６により調整される風量割合に応じてヒータ側流路１３とバイパス流路１４とに流通される。ヒータ側流路１３側に流通された空気流は、ヒータ５で温水と熱交換されて加熱された後、エアミックス域１５でバイパス流路１４からの冷風とエアミックスされて設定温度に調整される。
【００３３】
この温調風は、複数のフェースダンパ７、デフダンパ８、およびフットダンパ９により切り替えられるフェースモード、デフモード、フットモード、デフフットモード、バイレベルモード等の吹き出しモードに応じて、フェース吹き出し流路１６、デフ吹き出し流路１７、フット吹き出し流路１８、ならびに後席用ダクト２０の少なくとも１つから選択的に車室内へと吹き出される。
【００３４】
この間、暖房モードであるフットモードが設定されると、ヒータ５により加熱された温調風の約８０〜９０％は、フットダンパ９が開かれることによりフット吹き出し流路１８へと流通され、フット吹き出し口１９から乗務員の足元に吹き出される。一方、残りの約１０〜２０％の温調風は、フットダンパ９からデフ吹き出し流路１７側へと漏らされ、微小開度に設定されたデフダンパ８を通過し、デフ吹き出し流路１７およびサイドデミスタ流路３１を経てデフロスタ吹き出し口３０およびサイドデミスタ吹き出し口３２からフロントウィンドガラスおよびサイドウィンドガラスに向けて吹き出される。
【００３５】
ここで、微小開度とされているデフダンパ８を通過する温調風は、ユニットケース２の両側部に沿って流れていた温調風がデフダンパ８の両端部とユニットケース２との間の微小な隙間を流れる際、図３に示されるように、デフダンパ８の両端部が当接されるユニットケース２のシール面２Ｂにより幅方向に向きが変えられ、主流となるデフ吹き出し流路１７の中央部を流れる温調風に引っ張られてデフダンパ８の幅方向に向って流れる。このため、デフ吹き出し流路１７の両側部に形成されているサイドデミスタ流路３１には流れ難くなる。
【００３６】
しかるに、本実施形態では、デフダンパ８の両端部近傍に、上記の如くデフダンパ８の幅方向に流れる温調風をサイドデミスタ流路３１へとガイドする導風リブ３６を設けているため、フットモード時にデフ吹き出し流路１７のデフダンパ８を微小開度に設定し、デフ吹き出し流路１７およびサイドデミスタ流路３１に温調風を流す際、サイドデミスタ流路３１に対してサイドウィンドガラスの窓晴性を確保するために必要な風量の温調風を導くことができる。
【００３７】
これにより、フットモード時にフロントウィンドガラスおよびサイドウィンドガラスの曇りを防止、除去するため、デフダンパ８を微小開度に設定し、デフ吹き出し流路１７およびサイドデミスタ流路３１に温調風を流す際、必要な風量の温調風を確実にサイドデミスタ流路３１へと流すことができる。従って、デフダンパ８に導風リブ３６を追加するだけの構成でサイドデミスタ性能を向上させ、サイドウィンドガラスの窓晴性を高めることができるとともに、その窓晴性を確保するために、手動によりダンパをデフフットモードに切り替える操作上の煩わしさを解消することができる。
【００３８】
また、暖房モードであるフットモード時にデフダンパ８を微小開度に設定したとき、デフダンパ８の両端部とユニットケース２との隙間からデフダンパ８の幅方向に向って流れる温調風を導風リブ３６でサイドデミスタ流路３１へとガイドすることにより、サイドデミスタ流路３１側に流れる温調風の風量を増加することができる。このため、フット吹き出し流路１８側への風量に対して、デフ吹き出し流路１７およびサイドデミスタ流路３１側に流す風量割合を増加することなく、サイドデミスタ流路３１に対してデミスタ性能を十分に確保できるだけの風量を流すことができる。従って、サイドデミスタ性能の確保と暖房性能の維持との両立を図ることができる。
【００３９】
また、導風リブ３６をデフダンパ８の両端部からサイドデミスタ流路３１の幅方向寸法Ｌの概ね５０％前後の寸法ｌの位置に設けているため、デフダンパ８の両端部とユニットケース２との隙間からデフダンパ８の幅方向に向って流れる温調風に対する圧力損失（抵抗）を増大することなく、また該温調風がサイドデミスタ流路３１をパスすることがないように温調風をサイドデミスタ流路３１へとガイドすることができる。従って、サイドデミスタ流路３１に対して適量の温調風を導くことができ、サイドデミスタ性能を安定化することができる。
【００４０】
さらに、導風リブ３６をデフダンパ８のダンパ板３４のシール面側の表面に上方に向け立設した構成としているため、導風リブ３６の立設高さをユニットケース２からはみ出さない範囲で調整することによって、サイドデミスタ流路３１に導く温調風の風量を調整することができる。従って、導風リブ３６の立設高さの調整によりサイドデミスタ流路３１に導く風量を最適化することができる。
【００４１】
また、導風リブ３６をデフダンパ８のダンパ板３４の幅方向に対して直交する方向に設けているため、デフダンパ８の両端部とユニットケース２との隙間からデフダンパ８の幅方向に向って流れる温調風を導風リブ３６により効果的にサイドデミスタ流路３１へとガイドすることができる。また、デフダンパ８を開き温調風の主流をデフ吹き出し流路１７およびサイドデミスタ流路３１から吹き出すデフモードやデフフットモード時に導風リブ３６が抵抗になることはなく、従って、サイドデミスタ性能以外の性能に悪影響を及ぼすこともない。
【００４２】
さらに、導風リブ３６をデフダンパ８と共に樹脂材により一体成形するようにしているため、導風リブ３６を設けてもデフダンパ８の製造時における工数が特に増加することはなく、従って、製造コストの上昇を抑えつつ、サイドデミスタ性能の向上を図ることができる。
【００４３】
［第２実施形態］
次に、本発明の第２実施形態について、図６ないし図８を用いて説明する。
本実施形態は、上記した第１実施形態に対して、導風リブ３６Ａないし３６Ｃの形状が異なる。その他の点については第１実施形態と同様であるので、説明は省略する。本実施形態において、導風リブ３６Ａは、図６に示されるように、ダンパ板３４の先端側の角部が滑らかなアールとされ、回転軸３３側の角部が略直角な角部とされている。また、導風リブ３６Ｂは、図７に示されるように、ダンパ板３４の先端側の角部が滑らかなアールとされるとともに、回転軸３３側の角部も同様のアールとされている。さらに、導風リブ３６Ｃは、図８に示されるように、ダンパ板３４の先端側の角部が滑らかなアールとされる一方、回転軸３３側の角部は、回転軸３３側に向って下向きにカット（Ｃ）されている。
【００４４】
上記のように、導風リブは、導風性や成形性を考慮して導風リブ３６Ａないし３６Ｃの如く種々の形状に変更することができる。特に、リブにおけるダンパ板３４の先端側の角部を滑らかなアールとすることは、デフモードやデフフットモード時に通風抵抗とならないようにする上で望ましい。また、デフダンパ８を樹脂材により一体成形する際、成形型内に回転軸３３側を冷却するための冷却管を配設するスペースを確保するために、リブの回転軸３３側の角部を適宜カット（Ｃ）してもよく、このようなカット（Ｃ）を設けても導風性能を大きく低下することはない。
【００４５】
なお、本発明は、上記した実施形態にかかる発明に限定されるものではなく、その要旨を逸脱しない範囲において、適宜変形が可能である。例えば、導風リブは、幅方向と直交する方向に設けているが、斜めにあるいは湾曲して設けてもよい。また、その高さや長さについても、適用するＨＶＡＣユニット１に合わせて最適な寸法に決めればよく、上記実施形態に限定されるものではない。さらに、導風リブは、デフダンパ８と一体成形しているが、接着等による接合構成としてもよい。
【図面の簡単な説明】
【００４６】
【図１】本発明の第１実施形態にかかる車両用空調装置の縦断面図である。
【図２】図１に示す車両用空調装置のデフ吹き出し流路およびサイドデミスタ流路とデフダンパとの配置構成図である。
【図３】図１に示す車両用空調装置のデフ吹き出し流路部を切断して上方部から見た斜視図である。
【図４】図１に示す車両用空調装置のデフダンパの平面図である。
【図５】図４に示すデフダンパをダンパ板先端側から見た側面図である。
【図６】本発明の第２実施形態に係る車両用空調装置のデフダンパの一例を回転軸方向から見た側面図である。
【図７】本発明の第２実施形態に係る車両用空調装置のデフダンパの変形例を回転軸方向から見た側面図である。
【図８】本発明の第２実施形態に係る車両用空調装置のデフダンパの他の変形例を回転軸方向から見た側面図である。
【符号の説明】
【００４７】
１  車両用空調装置
２  ユニットケース
３  空気流路
４  エバポレータ
５  ヒータ
７  フェースダンパ
８  デフダンパ
９  フットダンパ
１６  フェース吹き出し流路
１７  デフ吹き出し流路
１８  フット吹き出し流路
３１  サイドデミスタ流路
３６，３６Ａ，３６Ｂ，３６Ｃ  導風リブ
Ｌ  サイドデミスタ流路の幅方向寸法
ｌ  両端部からの幅方向寸法
【図１】
0004444347.tif 000002
【図２】
0004444347.tif 000003
【図３】
0004444347.tif 000004
【図４】
0004444347.tif 000005
【図５】
0004444347.tif 000006
【図６】
0004444347.tif 000007
【図７】
0004444347.tif 000008
【図８】
0004444347.tif 000009